(57)【要約】【課題】  モア装置が装着された走行機体１に、芝草収容用の集草ボックス２２を、集草姿勢と排出姿勢とに切り替わるように設けた走行型芝刈機において、通常は軽い操作力で集草ボックス２２の姿勢を簡単に切り替えることができ、湿った芝草を集草ボックス２２内に大量に溜め込んだ場合等の特殊な状況にも対処できるようにする。【解決手段】  走行機体１側の姿勢切替レバー１２による手動操作と、集草ボックス２２が排出姿勢となる回動方向への付勢力を付与するばね５３，５４とにより、集草ボックス２２を姿勢切替え回動するように構成する。集草ボックス２２には、走行機体１上からの手動操作で、集草ボックス２２を姿勢切替レバー１２による手動操作及び左右両引張りばね５４の付勢力に優先して姿勢切替え回動させるためのレバー体７０を取り付ける。【選択図】  図４
2005318841.tif 000002
【特許請求の範囲】
【請求項１】
刈取機構が装着された走行機体に、前記刈取機構で刈り取った芝草を受け入れる集草ボックスが、芝草を受け入れる集草姿勢と受け入れた芝草を排出する排出姿勢とに切り替わるように水平状の回動支軸回りに回動可能に設けられ、
前記集草ボックスは、前記走行機体側に配置された第１操作手段による手動操作と、当該操作に次いで前記集草ボックスが排出姿勢となる回動方向へ付勢力を付与する付勢手段とにより、姿勢切替え回動するように構成され、
前記集草ボックスには、前記走行機体上からの手動操作で、当該集草ボックスを、前記第１操作手段による手動操作及び前記付勢手段の付勢力に優先して姿勢切替え回動させるための第２操作手段が設けられていることを特徴とする走行型芝刈機。
【請求項２】
前記第２操作手段は、前記集草ボックスに対して、前記集草ボックスが排出姿勢に近付くのに伴って前記走行機体の運転座席から操作可能な位置に移動するように取り付けられていることを特徴とする請求項１に記載の走行型芝刈機。
【請求項３】
前記第２操作手段は、前記集草ボックスの前記回動支軸のうち前記集草ボックスよりも水平方向外側に位置する一端部に対して前記回動支軸と交差する方向に延びるように固着された棒状のレバー体であることを特徴とする請求項１又は２に記載の走行型芝刈機。
【発明の詳細な説明】
【技術分野】
【０００１】
本発明は、地面に植立した芝草を刈り取るための刈取機構（モア装置）が装着された走行型芝刈機に係り、より詳しくは、刈取機構で刈り取った芝草を受け入れる集草ボックスからスムーズに芝草を排出するための構造に関するものである。
【背景技術】
【０００２】
一般に、走行型芝刈機は、走行機体に昇降動可能に装着されたモア装置と、当該モア装置で刈り取った芝草を受け入れる前面開口状の集草ボックスとを備えている。この種の走行型芝刈機の一例として特許文献１には、集草ボックスを、刈り取った芝草を受け入れる集草姿勢と受け入れた芝草を排出する排出姿勢とに切り替わるように上下回動可能に構成したものが開示されている。
【特許文献１】特開２００１−４５８２９号公報
【発明の開示】
【発明が解決しようとする課題】
【０００３】
ところで、前記特許文献１の走行型芝刈機では、集草ボックスをその受入れ口が下向きに開口する排出姿勢に切り替えることにより、集草ボックス内に溜まった芝草を自重で自然に落下させて外部に排出する。
【０００４】
この場合、集草ボックス内の芝草を確実に排出するには、排出姿勢の集草ボックスの上下傾斜角度（水平に対する回動角度）が所定角度以上（例えば５５°〜６０°以上）となるように設定する必要がある。すなわち、集草ボックスを所定角度以上に傾いた状態にする必要がある。
【０００５】
しかし、前記特許文献１の走行型芝刈機は、走行機体に搭載した油圧シリンダの駆動により集草ボックスの姿勢切替えを行う構成であることから、油圧ポンプや油圧管路等のような姿勢切替え回動のための油圧供給系統の構造がきわめて複雑になるばかりか、部品点数の増加による大型化や製造コストの上昇を招くという問題があった。
【０００６】
これに対して、走行機体側に配置されたレバー等の操作手段による手動操作と、集草ボックスが排出姿勢となる上向きの回動方向（開き勝手となる方向）への付勢力を付与する圧縮ばね等の付勢手段とにより、集草ボックスの姿勢切替えを行う構成を採用した場合は、集草ボックスを姿勢切替え回動させるための機構を簡単化できるという利点がある。
【０００７】
この先行技術の構成では、操作手段の操作力をできるだけ軽くする（オペレータの操作負担を小さくする）ため、主として付勢手段の付勢力により、集草ボックスを排出姿勢に切替え回動させるが、付勢手段の付勢力が強すぎると、集草ボックス内に芝草が空又は空に近い状態では、集草ボックスが急激に排出姿勢に切替え回動して、この姿勢切替えによる衝撃が大きくなる。そこで、前記先行技術では、付勢手段の付勢力は極端に強くならないように適度な按配に設定されている。
【０００８】
しかし、例えば湿った芝草を集草ボックス内に大量に溜め込んだ場合は、集草ボックスをある程度大きく傾けなければ、この湿った芝草は集草ボックスの底面にくっついて滑り落ちにくい（排出しにくい）。それにも拘らず、前記先行技術の構成では、湿った芝草を大量に溜め込んで集草ボックスの重量がかなり重くなると、付勢手段の付勢力が集草ボックスの重量に負けてしまい、操作手段による操作力と付勢手段の付勢力とを組み合わせたとしても、集草ボックスを所定角度以上に傾けられず、集草ボックスから芝草を完全に排出できないという問題があった。
【０００９】
この場合において集草ボックス内から芝草を排出するには、オペレータは一旦運転座席から降りて、集草ボックスを抱え上げるようにして排出姿勢に切替え回動させる（所定角度以上に傾ける）というきわめて厄介な作業をしなければならず、手間がかかって面倒である点も問題であった。
【００１０】
そこで、本発明は、以上のような問題を解消し、通常は軽い操作力で集草ボックスの姿勢を簡単に切り替えることができ、湿った芝草を集草ボックス内に大量に溜め込んだ場合等の特殊な状況にも対処できる走行型芝刈機を提供することを技術的課題とするものである。
【課題を解決するための手段】
【００１１】
この技術的課題を解決するため、請求項１の発明に係る走行型芝刈機は、刈取機構が装着された走行機体に、前記刈取機構で刈り取った芝草を受け入れる集草ボックスが、芝草を受け入れる集草姿勢と受け入れた芝草を排出する排出姿勢とに切り替わるように水平状の回動支軸回りに回動可能に設けられ、前記集草ボックスは、前記走行機体側に配置された第１操作手段による手動操作と、当該操作に次いで前記集草ボックスが排出姿勢となる回動方向へ付勢力を付与する付勢手段とにより、姿勢切替え回動するように構成され、前記集草ボックスには、前記走行機体上からの手動操作で、当該集草ボックスを、前記第１操作手段による手動操作及び前記付勢手段の付勢力に優先して姿勢切替え回動させるための第２操作手段が設けられているというものである。
【００１２】
請求項２に係る発明は、請求項１に記載の走行型芝刈機において、前記第２操作手段は、前記集草ボックスに対して、前記集草ボックスが排出姿勢に近付くのに伴って前記走行機体の運転座席から操作可能な位置に移動するように取り付けられているというものである。
【００１３】
請求項３に係る発明は、請求項１又は２に記載の走行型芝刈機において、前記第２操作手段は、前記集草ボックスの前記回動支軸のうち前記集草ボックスよりも水平方向外側に位置する一端部に対して前記回動支軸と交差する方向に延びるように固着された棒状のレバー体であるというものである。
【発明の効果】
【００１４】
請求項１のように構成すると、走行機体側の第１操作手段による手動操作と、集草ボックスが排出姿勢となる回動方向への付勢力を付与する付勢手段とにより、前記集草ボックスを姿勢切替え回動させることができるので、通常の芝草排出作業では、軽い操作力で前記集草ボックスの姿勢を簡単に切り替えることができ、前記集草ボックス内の芝草をスムーズに排出することができる。
【００１５】
また、前記集草ボックスには、走行機体上からの手動操作で、当該集草ボックスを、前記第１操作手段による手動操作及び前記付勢手段の付勢力に優先して姿勢切替え回動させるための第２操作手段が設けられているので、湿った芝草を前記集草ボックス内に大量に溜め込んだ場合は、オペレータが前記第２操作手段を前記走行機体上から手動操作すれば、前記第１操作手段や前記付勢手段の作動状態とは関係なく（全く別個に）、前記集草ボックスを完全に下を向いた排出姿勢にまで強制的に上向き回動させることができ、湿った芝草であっても前記集草ボックス内から確実に排出することができる。
【００１６】
従って、請求項１の発明によると、集草ボックス内の芝草の状態（乾燥しているか湿っているか等）に拘らず、集草ボックスから芝草を確実に排出することができるという効果を奏する。
【００１７】
請求項２のように構成すると、前記集草ボックスを排出姿勢に向けて切替え回動させれば、前記第２操作手段は前記運転座席から操作可能な位置に現れることになるので、湿った芝草を集草ボックス内に大量に溜め込んだ状態であっても、オペレータは、前記運転座席に座ったままで前記第２操作手段を手動操作することができる。従って、前記第２操作手段の操作がし易く、走行型芝刈機での作業性が向上するという効果を奏する。
【００１８】
請求項３の発明によると、第２操作手段として、回動支軸の一端部に固着された棒状のレバー体という簡単な構成を採用したから、芝草を前記集草ボックス内に大量に溜め込んだ場合等の特殊な状況にも対処できるものでありながら、部品点数が少なくて済み、故障もしにくいという効果を奏する。
【発明を実施するための最良の形態】
【００１９】
以下、本発明を具体化した実施形態を図面に基づいて説明する。
【００２０】
はじめに、図１〜図３を参照しながら、走行型芝刈機の概要について説明する。図１は芝刈機の全体側面図、図２は芝刈機の全体平面図、図３は芝刈機の動力伝達系統を示す平面図である。
【００２１】
図１及び図２に示すように、この実施形態における芝刈機の走行機体１は、平面視略門型の機体フレーム２を備えている。当該機体フレーム２は、その左右両側の前後に配置された前後四輪３，３，４，４で支持されている。
【００２２】
走行機体１の上面前部には、動力源としてのエンジン５と、操向丸ハンドル７を有する操縦コラム部６とが搭載されている。走行機体１の上面後部を覆うリヤカウル８内には、エンジン５からの出力を適宜変速して左右両後輪４，４に伝達するＨＳＴ式（静油圧式無断変速機構）等のミッションケース９が配置されている（図３参照）。
【００２３】
リヤカウル８上には運転座席１０が設けられている。この運転座席１０に座ったオペレータが操向丸ハンドル７を回動操作することにより、その操作量（回動量）に応じて左右両前輪３，３のかじ取り角（操向角度）が変わるように構成されている。運転座席１０の左側には、後述するモア装置１５を昇降操作するためのモア昇降レバー１１が前後回動可能に設けられている。運転座席１０の右側には、後述する集草ボックス２２の姿勢を切り替える姿勢切替レバー１２が上下回動可能に設けられている。この実施形態では、姿勢切替レバー１２が特許請求の範囲に記載した第１操作手段に相当する。なお、操縦コラム部６の裏面（後面）側には、車速を適宜調節するための変速ペダル１３と、走行機体１を制動操作するためのブレーキペダル１４とが立設されている。
【００２４】
機体フレーム２の下面のうち左右両前輪３，３と左右両後輪４，４との間には、刈取機構としてのモア装置１５が前後一対のリンク杆１６，１７を介して昇降動可能に装着されている。モア装置１５は、下向き開口椀状のモアケース１８内に、水平回転可能な左右一対のロータリ刈刃１９，１９を備えている（図３参照）。
【００２５】
また、モアケース１８の左右両側の前後には、下降時にモア装置１５の高さを調節する４つのゲージ車輪２０が取り付けられている。モアケース１８から後向きに延びるダクト部１８ａは、機体フレーム２の下面のうち左右両後輪４，４の間に配置した排出ダクト２１を介して走行機体１の後部に配置した集草ボックス２２に連通している。
【００２６】
モア装置１５を地面に這わせた状態で各ロータリ刈刃１９を回転させると、地面に植立した芝草は適宜高さに刈り取られる。各ロータリ刈刃１９で刈り取った芝草は、モア装置１５から排出ダクト２１を経由して集草ボックス２２に収容される。
【００２７】
次に、図３を参照しながら、芝刈機の動力伝達系統について説明する。この実施形態の芝刈機では、エンジン５の回転動力の一部を左右両後輪４，４に配分する二輪駆動方式が採用されている。
【００２８】
すなわち、エンジン５の回転動力の一部は、当該エンジン５から前後外向きに突出する出力軸２３の後端部から、前後両端に自在継手を備えた推進軸２４、ミッションケース９よりも前方の部位に配置された走行用ギヤボックス２５及び無端ベルト２６を介して、ミッションケース９に伝達される。
【００２９】
そして、このミッションケース９に左右外向きに突設された横軸（図示せず）から無端チェーン（図示せず）を介して走行機体１の後ろ寄り部位に設けた左右長手の後輪駆動軸２９に伝達される。その結果、後輪駆動軸２９の左右両端に取り付けられた後輪４，４が回転駆動する。
【００３０】
他方、エンジン５の他の回転動力は、出力軸２３の前端部から、動力伝達用ベルト等の無端帯３１を介して、機体フレーム２の前部に軸支されたＰＴＯ軸３２に伝達される。次いで、このＰＴＯ軸３２から、前後両端に自在継手を備えた中間軸３３、モアケース１８の上面のうち機体フレーム２よりも右側の部位に配置したモア用ギヤボックス３４及び無端ベルト３５を介して、モアケース１８のうち平面視で機体フレーム２を挟んだ両側に回転可能に軸支された縦長のロータリ軸３６，３６に動力伝達される。その結果、左ロータリ刈刃１９は平面視で時計方向に回転駆動し、右ロータリ刈刃１９は平面視で反時計方向に回転駆動する。
【００３１】
左右両ロータリ刈刃１９，１９の回転により、モアケース１８から集草ボックス２２に向かって後ろ向きに流れる搬送風が形成される。この搬送風が各ロータリ刈刃１９で刈り取った芝草を集草ボックス２２にまでスムーズに搬送する。
【００３２】
次に、図４及び図５を参照しながら、集草ボックス２２の構造について説明する。図４は集草ボックスの側断面図、図５は図４のＶ−Ｖ視平断面図である。
【００３３】
集草ボックス２２は前面を開口した略箱型のものである。集草ボックス２２は、その骨組を構成する枠フレーム３９と、当該枠フレーム３９を機体フレーム２の左右後端に着脱可能に装着するための固定ブラケット４０と、枠フレーム３９の周囲を覆う網又は布製の袋体４１とを備えている。集草ボックス２２の上面には、袋体４１の網目を通り抜ける塵埃が走行機体１側へ回り込むのを防ぐための蓋カバー体４２が取り付けられている。
【００３４】
固定ブラケット４０は、機体フレーム２の左右後端に着脱可能に被嵌され且つねじ固定される一対の鞘管４０ａ，４０ａと、これら両鞘管４０ａ，４０ａを繋ぐ左右長手のパイプ部材４０ｂとを備えている。
【００３５】
パイプ部材４０ｂ内に回転可能に挿入された水平状の回動支軸４３の両端は、枠フレーム３９の上部のうち受入れ口２２ａ寄りの部位に固着されている。これにより、集草ボックス２２は、受入れ口２２ａが排出ダクト２１の排出口２１ａに対面する集草姿勢（刈り取った芝草を受け入れるときの姿勢、図１及び図４の実線状態参照）と、受入れ口２２ａが地面に対面する（第２）排出姿勢（図１及び図４の二点鎖線状態参照）とに切り替わるように、回動支軸４３を回動中心として上下回動する構成となっている。
【００３６】
回動支軸４３の一端部は、姿勢切替レバー１２の昇降回動操作に連動して回動するように、連動機構４４を介して姿勢切替レバー１２のうち機体フレーム２に回動可能に軸支された水平軸部１２ａに連結されている。
【００３７】
連動機構４４は、回動支軸４３の一端部に回動可能に装着された三角アーム４５、当該三角アーム４５と姿勢切替レバー１２に固着された伝動アーム４８とを連結する略棒状の連結ロッド４６、及び回動支軸４３の一端部のうち三角アーム４５よりもさらに外側の箇所に固着されたアームリンク４７を備えている。
【００３８】
この実施形態では、連結ピン５０を連結ロッド４６の一端部に形成された貫通穴を介して三角アーム４５に形成された長溝穴４９内に摺動可能で且つ抜け不能に嵌挿することにより、連結ロッド４６の一端部が三角アーム４５に対して連結されている。連結ロッド４６の他端部は、伝動アーム４８に対して枢着ピン５１で回動可能に枢着されている。
【００３９】
また、アームリンク４７に形成された長溝穴５２に対しても、三角アーム４５と連結ロッド４６とを繋ぐ連結ピン５０が摺動可能で且つ抜け不能に嵌挿されている。これにより、姿勢切替レバー１２の昇降回動操作に連動して、三角アーム４５とアームリンク４７と回動支軸４３とが当該回動支軸４３を回動中心として一緒に回動する。
【００４０】
図１、図２、図４及び図５に示すように、回動支軸４３のうちアームリンク４７よりもさらに外側の一端には、第２操作手段としての棒状のレバー体７０が、集草ボックス２２を集草姿勢とした状態で回動支軸４３の一端から後方斜め上向きに延びるように（回動支軸４３と交差する方向に延びるように）固着されている。従って、レバー体７０は、姿勢切替レバー１２の昇降回動操作に連動して、回動支軸４３（ひいては集草ボックス２２）と共に、回動支軸４３回りに前後方向に回動する。
【００４１】
また、レバー体７０を前後方向に回動操作すると、集草ボックス２２が回動支軸４３を中心として姿勢切替え回動する。レバー体７０による操作は、姿勢切替レバー１２や左右両引張りばね５４の作動状態とは無関係に（姿勢切替レバー１２による手動操作や左右両引張りばね５４の付勢力に優先して）、集草ボックス２２を姿勢切替え回動させるように設定されている。
【００４２】
この場合、レバー体７０の回動支軸４３に対する取付け角度（取付け位置）は、集草ボックス２２を前方斜め下向きの第１排出姿勢とした状態で運転座席１０から手が届くような位置（運転座席１０から操作可能な位置）となるように設定されている（図１及び図４の一点鎖線状態参照）。
【００４３】
図５に示すように、回動支軸４３と各鞘管４０ａとの間には、集草ボックス２２を第１排出姿勢の方向（開き勝手となる方向）に上向き回動させるように付勢する一対の圧縮ばね５３が左右対称状に取り付けられている。機体フレーム２の後端部には、回動支軸４３を迂回するように円弧状に形成された支点越えリンク５５が左右対称状に配置されている。これら各支点越えリンク５５と集草ボックス２２の前端上部との間には、引張りばね５４が装架されている。
【００４４】
この実施形態では、姿勢切替レバー１２の操作力をできるだけ軽くする（オペレータの操作負担を小さくする）ため、主として前述の各ばね５３，５４の付勢力により、集草ボックス２２を排出姿勢に切替え回動させる構成となっている。左右一対の引張りばね５４の付勢力は、集草ボックス２２が集草姿勢の状態では各圧縮ばね５３の付勢力よりも小さい。集草ボックス２２が集草姿勢から第１排出姿勢に切替え回動すると、両引張りばね５４は回動支軸４３を支点越えする。その後、両引張りばね５４は、集草ボックス２２をさらに第２排出姿勢の方向（開き勝手となる方向）に上向き回動させるように付勢する。この実施形態では、両圧縮ばね５３及び両引張りばね５４が特許請求の範囲に記載した付勢手段に相当する。
【００４５】
一方、集草ボックス２２（枠フレーム３９）の前端下部に回動可能に軸支されたラッチ軸５６の両端部には、係合リンク５７が固着されている。各係合リンク５７は、ラッチ軸５６回りに回動することにより、排出ダクト２１の後端下部に設けた鉤片５８に係脱するように構成されている。係合リンク５７の一方は、略棒状の連杆５９を介して、当該係合リンク５７の上方に位置する三角アーム４５の一つの頂部に連結されている。
【００４６】
他方、蓋カバー体４２の前部内面には、例えば板ばね製の断面Ω字状の弾性クリップ６１の基端がボルト締結されている。蓋カバー体４２を集草ボックス２２の上方から被せると、弾性クリップ６１は両鞘管４０ａ，４０ａに上向きに立設された門型フレーム６２の水平軸部６２ａに対して回動可能で且つ着脱可能に被嵌される。門型フレーム６２の水平軸部６２ａは、回動支軸４３よりも上方で且つリヤカウル８の後端縁最上部の近傍に位置している。
【００４７】
蓋カバー体４２における後部内面の略中央部位には、前後長手で下向き開口略樋状の案内レール６３がボルト締結されている一方、枠フレーム３９の上部後端には、左右一対の転動コロ６４，６４が上向きに突設されている。これら各転動コロ６４は、案内レール６３を左右両側から挟み込むように、案内レール６３の左右側面から外向きに張り出した当接板部６３ａと蓋カバー体４２の後部内面との間に嵌め込まれる。
【００４８】
従って、案内レール６３の当接板部６３ａと蓋カバー体４２の後部内面との間を各々転動する転動コロ６４により、蓋カバー体４２の後端部は、集草ボックス２２の姿勢切り替え回動に伴って前後方向に相対的にずれ移動可能な状態で下方から支持されている。
【００４９】
以上の構成において、姿勢切替レバー１２を上向きに回動操作すると、伝動アーム４８が水平軸部１２ａ回りに図４の時計方向に回動することにより、伝動アーム４８に連結された連結ロッド４６は三角アーム４５を図４の反時計方向に回動させる。そうすると、三角アーム４５が連杆５９を引き上げるので、左右両係合リンク５７が排出ダクト２１の鉤片５８から外れて係合解除される。
【００５０】
ここで、集草ボックス２２が芝草の入っていない空状態か又は芝草の少ない空に近い状態であると、集草ボックス２２の重心は、図４に符号Ｇで示すように、集草ボックス２２の回動中心である回動支軸４３の略真下に位置するので、集草ボックス２２は、左右両圧縮ばね５３の押圧付勢力により自動的に回動して、受入れ口２２ａが前方斜め下向きの第１排出姿勢となる（図１及び図４の一点鎖線状態参照）。
【００５１】
次いで、姿勢切替レバー１２のさらなる上向き回動操作、又は左右両圧縮ばね５３による集草ボックス２２の上向き回動の慣性力により、左右両引張りばね５４が回動支軸４３を支点越えしたのち、当該支点越えした両引張りばね５４の引張り付勢力で、集草ボックス２２は下向きの第２排出姿勢となるまで自動的に上向き回動する（図１及び図４の二点鎖線状態参照）。
【００５２】
また、集草ボックス２２が芝草の多く詰まった状態であると、集草ボックス２２の重心は、図４に符号Ｇ′で示すように、回動支軸４３よりも後方に位置するので、排出ダクト２１の鉤片５８と係合リンク５７との係合を解除すべく、姿勢切替レバー１２を上向きに回動操作しても、集草ボックス２２は、芝草を含む自重のために、左右両圧縮ばね５３に抗して集草姿勢（図１及び図４の実線状態参照）を保持する。
【００５３】
この場合は、姿勢切替レバー１２を軽い操作力でさらに上向きに回動操作すると、当該操作力と左右両圧縮ばね５３の押圧付勢力とが協働して、集草ボックス２２を第１排出姿勢となるまで上向き回動させる。その結果、集草ボックス２２内の芝草が地上に排出される。芝草の排出がある程度まで進むと、集草ボックス２２は、支点越えした左右両引張りばね５４の引張り付勢力により、下向きの第２排出姿勢となるまで自動的に上向き回動する。
【００５４】
一方、湿った芝草を大量に溜め込んで集草ボックス２２の重量がかなり重くなった状態では、左右両引張りばね５４の引張り付勢力が集草ボックス２２の重量に負けることと、湿った芝草が集草ボックス２２の底面にくっついて滑り落ちにくいこととが相俟って作用するために、軽い操作力しか加えられない姿勢切替レバー１２による手動操作と左右両引張りばね５４の引張り付勢力とを組み合わせたとしても、左右両引張りばね５４を支点越えさせることができない。換言すると、集草ボックス２２を第１排出姿勢を超えて切替え回動させることができない。
【００５５】
この場合、集草ボックス２２側のレバー体７０は、姿勢切替レバー１２の上向き回動操作に連動して、運転座席１０から手が届くような略鉛直状に立ち上がった位置に保持されている（図１及び図４の一点鎖線状態参照）。そこで、オペレータは、運転座席１０の右側後方へ体を捻って、略鉛直状に立ち上がったレバー体７０を運転座席１０に座ったままで前向きに傾動操作することにより、集草ボックス２２を下向きの第２排出姿勢にまで強制的に上向き回動させ、集草ボックス２２内の湿った芝草を自重で自然に落下させて排出するのである。
【００５６】
芝草が完全に排出されて集草ボックス２２が空となった後は、姿勢切替レバー１２を下向きに回動操作することにより、集草ボックス２２が前向きの集草姿勢に戻る。そして、三角アーム４５が水平軸部１２ａ回りに図６の時計方向に回動して連杆５９を押し下げることにより、左右の係合リンク５７が対応する鉤片５８に蹴り込み係合し、集草ボックス２２が回動不能にロックされる。
【００５７】
以上のことから、本発明の走行型芝刈機によると、走行機体１側の姿勢切替レバー１２による手動操作と、各ばね５３，５４の排出姿勢の方向への付勢力とにより、集草ボックス２２を姿勢切替え回動させるので、通常の芝草排出作業では、軽い操作力で集草ボックス２２の姿勢を簡単に切り替えることができ、集草ボックス２２内の芝草をスムーズに排出することができる。
【００５８】
その上、湿った芝草を集草ボックス２２内に大量に溜め込んだ状態であっても、姿勢切替レバー１２の上向き回動操作と左右両圧縮ばね５３の押圧付勢力とにより、集草ボックス２２を第１排出姿勢にすれば、集草ボックス２２側のレバー体７０が運転座席１０から手が届くような略鉛直状に立ち上がった位置に現れる。
【００５９】
従って、その後に、姿勢切替レバー１２による手動操作と左右両引張りばね５４の引張り付勢力との組合せでは集草ボックス２２を第１排出姿勢を超えて切替え回動させられない状態となっていても、略鉛直状に立ち上がったレバー体７０を前向きに傾動操作すれば、姿勢切替レバー１２や左右両引張りばね５４の作動状態とは関係なく、集草ボックス２２を下向きの第２排出姿勢にまで強制的に上向き回動させることができるので、集草ボックス２２内の湿った芝草も確実に排出することができる。
【００６０】
すなわち、本発明の走行型芝刈機によると、集草ボックス２２内の芝草の状態（乾燥しているか湿っているか等）に拘らず、集草ボックス２２から芝草を確実に排出することができるのである。
【００６１】
また、集草ボックス２２を第１排出姿勢にすれば、集草ボックス２２側のレバー体７０は運転座席１０から手が届くような略鉛直状に立ち上がった位置に現れる（運転座席１０に座ったオペレータに近付くように移動する）ので、湿った芝草を集草ボックス２２内に大量に溜め込んだ状態であっても、オペレータは、運転座席１０に座ったままでレバー体７０を手動操作して芝草排出作業を行うことができる。従って、レバー体７０の操作がし易く、走行型芝刈機での作業性が向上するのである。
【００６２】
さらに、第２操作手段として、回動支軸４３の一端に固着されたレバー体７０という簡単な構成を採用したから、芝草を集草ボックス２２内に大量に溜め込んだ場合等の特殊な状況にも対処できるものでありながら、部品点数が少なくて済み、故障もしにくいのである。なお、集草ボックス２２が集草姿勢の状態では、レバー体７０は回動支軸４３の一端から後方斜め上向きに延出しているので、芝刈作業等の際に、レバー体７０の存在が邪魔になることはない。
【００６３】
本発明は、前述の実施形態に限らず、様々な態様に具体化できる。例えば、前述の実施形態にレバー体７０として例示した第２操作手段は、集草ボックス２２の回動支軸４３に一体に設けてもよいし、別体に設けてもよい。または、枠フレーム３９に対して一体又は別体に設けてもよい。要は、第２操作手段は集草ボックス２２側に配置されていればよいのである。
【図面の簡単な説明】
【００６４】
【図１】走行型芝刈機の全体側面図である。
【図２】走行型芝刈機の全体平面図である。
【図３】走行型芝刈機の動力伝達系統を示す平面図である。
【図４】集草ボックスの側断面図である。
【図５】図４のＶ−Ｖ視平断面図である。
【符号の説明】
【００６５】
１    走行機体
２    機体フレーム
５    エンジン
１０    運転座席
１２    第１操作手段としての姿勢切替レバー
１５    刈取機構としてのモア装置
１８    モアケース
１９    ロータリ刈刃
２０    ゲージ車輪
２１    排出ダクト
２２    集草ボックス
３９    枠フレーム
４０    固定ブラケット
４２    蓋カバー体
４３    回動支軸
４４    連動機構
５３    付勢手段としての圧縮ばね
５４    付勢手段としての引張りばね
５５    支点越えリンク
７０    第２操作手段としてのレバー体
【図１】
2005318841.tif 000003
【図２】
2005318841.tif 000004
【図３】
2005318841.tif 000005
【図４】
2005318841.tif 000006
【図５】
2005318841.tif 000007